(57)【特許請求の範囲】
【請求項１】
一面に開口を有するとともに建築物の壁に設置される器具を内部に収納可能な有底箱状に形成されたカバー本体と、前記にカバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持した器具枠が配置されて使用される気密カバーであって、
前記フランジ部には、前記壁裏に設置された器具枠取付体に前記器具枠を取り付けるための固定ビスが挿通される挿通部が、前記開口を挟むようにして一対設けられ、
前記フランジ部において、前記固定ビスによる前記器具枠の前記器具枠取付体への取り付けによって、前記フランジ部の一部が前記器具枠により前記壁に押し付けられて当該壁と前記器具枠とにより挟持されるとともに、その他の部位であって前記壁に押し付けられない部位には貼着部が設けられ、前記貼着部における前記壁側の貼着面には剥離シートが貼着されるとともに、
前記フランジ部の一部を前記壁と前記器具枠で挟持した状態で、前記剥離シートを剥離可能とすべく、
前記剥離シートは、前記フランジ部より外方へ延在されると共に、手により把持可能な把持部を備えていること、及び前記フランジ部は基端から傾動可能であることのうちの少なくとも一方を有していることを特徴とする気密カバー。
【請求項２】
前記貼着部は、前記一対の挿通部を結ぶ直線の両側に位置するフランジ部の裏面に設けられていることを特徴とする請求項１に記載の気密カバー。
【請求項３】
前記フランジ部に、前記器具枠に対して前記フランジ部を位置合わせするための位置調節部が設けられていることを特徴とする請求項１又は２に記載の気密カバー。
【請求項４】
一面に開口を有するとともに建築物の壁に設置される器具を内部に収納可能な有底箱状に形成されたカバー本体と、前記カバー本体の開口縁全周から外方に向けて延びる環状のフランジ部と、を備える気密カバーの設置方法であって、
前記カバー本体を前記壁に穿設された壁孔に挿入するとともに前記フランジ部を前記壁表の前記壁孔周縁に配置し、前記フランジ部の表面側に、前記器具を保持した器具枠を配置し、壁裏に配置された器具枠取付体に前記器具枠を固定して前記フランジ部の一部を前記壁と前記器具枠で挟持した後に、前記フランジ部の裏面における前記器具枠により前記壁に押し付けられない部位に設けられた貼着部から該貼着部を覆う剥離シートを剥離し、前記貼着部を前記壁の前記壁孔周縁に貼着する
ことを特徴とする気密カバーの設置方法。
【請求項５】
前記壁裏に設置された器具枠取付体に前記器具枠を取り付けるための一対の固定ビスを、前記フランジ部における前記カバー本体の開口を挟む位置に挿通するとともに、前記固定ビスを前記器具枠取付体に固定して、固定された前記器具枠により前記フランジ部を前記壁に押し付け、前記フランジ部において、前記器具枠によって前記壁に押し付けられていない部位を傾動させ、その傾動させた部位に設けられた前記貼着部から前記剥離シートを剥離し、前記貼着部を前記壁の前記壁孔周縁に貼着することを特徴とする請求項４に記載の気密カバーの設置方法。
【請求項６】
前記器具枠によって前記壁に押し付けられてない部位に設けられた貼着部に貼着された前記剥離シートの前記フランジ部より外方へ延在されると共に、手により把持可能な把持部を手で把持して、前記貼着部から前記剥離シートを剥離することを特徴とする請求項４又は請求項５に記載の気密カバーの設置方法。
【発明の詳細な説明】
【技術分野】
【０００１】
本発明は、気密カバー、及び気密カバーの設置方法に関する。
【背景技術】
【０００２】
例えば、建築物の壁に設置される配線器具には、壁裏に配設されたケーブルが接続される。また、配線器具の設置に伴う気密性を確保するために、配線器具は気密カバー内に収納される。そして、このような気密カバーとしては、例えば、特許文献１に記載のものがある。
【０００３】
特許文献１に記載の防塵パッキンは、一面が開口されるとともに配線器具が収容される箱状の本体（カバー本体）と、本体の開口全周から外方に向けて設けられた固定フランジ板（フランジ部）とからなる。また、本体の底壁には、電線（ケーブル）を気密状態で挿通させるための電線挿通部（引込み部）が複数設けられている。
【０００４】
この防塵パッキンは、壁内に配設されたボックス内部に挿入される。また、その防塵パッキンの固定フランジ板と、コンセント（器具）が取り付けられている器具取付け金枠（器具枠）との間に押え板が配置される。そして、固定フランジ板を、ボックスの開口面側に一体に設けられた塗代カバーの開口端面に密着させて、固定フランジ板を押え板によって壁に向けて押さえ付ける。さらに、押え板の表側に器具取付け金枠を配置した状態にして、その器具取付け金枠に挿通した固定ビスを、押え板及び防塵パッキンを貫通させてボックスに固定する。これによって、防塵パッキンにより室内側とボックス内部とが遮断されて、ボックス内部に侵入する塵埃類が室内に入り込むのが防止される。さらに、器具取付け金枠に化粧板（化粧カバー）が固定ビスにより固定されて、コンセントのプラグ差込み口を除く部分、及び押え板は化粧板により覆われる。
【先行技術文献】
【特許文献】
【０００５】
【特許文献１】特開平７−２７４３４６号公報
【発明の概要】
【発明が解決しようとする課題】
【０００６】
ところで、特許文献１の防塵パッキンにおいて、固定フランジ板の上下両部は、器具取付け金枠の上下両部に挿通した固定ビスをボックスに固定することによって、器具取付け金枠の上下両部により壁面に押し付けられているため、固定フランジ板の上下両部と壁面との間は気密性が確保される。しかし、固定フランジ板の左右両部は、固定ビスにより器具取付け金枠の左右両部を介して壁面に押し付けられていない。このため、固定フランジ板の左右両部が壁面に対して密着せずに気密性を確保することができない場合がある。
【０００７】
本発明は、このような従来の技術に存在する問題点に着目してなされたものであり、その目的は、フランジ部において、固定ビスを用いて器具枠によって壁に押し付けられた部位以外でも、壁との間の気密性を確保することができる気密カバー、及び気密カバーの設置方法を提供することにある。
【課題を解決するための手段】
【０００８】
上記目的を達成するために、請求項１に記載の発明は、一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持した器具枠が配置されて使用される気密カバーであって、前記フランジ部には、前記壁裏に設置された器具枠取付体に前記器具枠を取り付けるための固定ビスが挿通される挿通部が、前記開口を挟むようにして一対設けられ、前記フランジ部において、前記固定ビスによる前記器具枠の前記器具枠取付体への取り付けによって、前記フランジ部の一部が前記器具枠により前記壁に押し付けられて当該壁と前記器具枠とにより挟持されるとともに、その他の部位であって前記壁に押し付けられない部位には貼着部が設けられ、前記貼着部における前記壁側の貼着面には剥離シートが貼着されるとともに、前記フランジ部の一部を前記壁と前記器具枠で挟持した状態で、前記剥離シートを剥離可能とすべく、前記剥離シートは、前記フランジ部より外方へ延在されると共に、手により把持可能な把持部を備えていること、及び前記フランジ部は基端から傾動可能であることのうちの少なくとも一方を有していることを要旨とする。
【０００９】
請求項２に記載の発明は、請求項１に記載の発明において、前記貼着部は、前記一対の挿通部を結ぶ直線の両側に位置するフランジ部の裏面に設けられていることを要旨とする。
【００１０】
請求項４に記載の発明は、一面に開口を有するとともに建築物の壁に設置される器具を内部に収納可能な有底箱状に形成されたカバー本体と、前記カバー本体の開口縁全周から外方に向けて延びる環状のフランジ部と、を備える気密カバーの設置方法であって、前記カバー本体を前記壁に穿設された壁孔に挿入するとともに前記フランジ部を前記壁表の前記壁孔周縁に配置し、前記フランジ部の表面側に、前記器具を保持した器具枠を配置し、壁裏に配置された器具枠取付体に前記器具枠を固定して前記フランジ部の一部を前記壁と前記器具枠で挟持した後に、前記フランジ部の裏面における前記器具枠により前記壁に押し付けられない部位に設けられた貼着部から該貼着部を覆う剥離シートを剥離し、前記貼着部を前記壁の前記壁孔周縁に貼着することを要旨とする。
【００１１】
請求項５に記載の発明は、請求項４に記載の発明において、前記壁裏に設置された器具枠取付体に前記器具枠を取り付けるための一対の固定ビスを、前記フランジ部における前記カバー本体の開口を挟む位置に挿通するとともに、前記固定ビスを前記器具枠取付体に固定して、固定された前記器具枠により前記フランジ部を前記壁に押し付け、前記フランジ部において、前記器具枠によって前記壁に押し付けられていない部位を傾動させ、その傾動させた部位に設けられた前記貼着部から前記剥離シートを剥離し、前記貼着部を前記壁の前記壁孔周縁に貼着することを要旨とする。
【００１２】
請求項６に記載の発明は、請求項４又は請求項５に記載の発明において、前記器具枠によって前記壁に押し付けられてない部位に設けられた貼着部に貼着された前記剥離シートの前記フランジ部より外方へ延在されると共に、手により把持可能な把持部を手で把持して、前記貼着部から前記剥離シートを剥離することを要旨とする。
【発明の効果】
【００１３】
この発明によれば、フランジ部において、固定ビスを用いて器具枠によって壁に押し付けられた部位以外でも、壁との間の気密性を確保することができる。
【図面の簡単な説明】
【００１４】
【図１】実施形態における気密カバー、配線ボックス、器具枠及び化粧カバーを示す斜視図。
【図２】気密カバーを表側から見た気密カバーの平面図。
【図３】図２におけるＡ−Ａ線断面図。
【図４】（ａ）は把持部を把持した状態を示す斜視図、（ｂ）は剥離シートを剥がしている状態を示す斜視図。
【図５】気密カバーが両面テープにより貼着された状態を示す正面図。
【図６】スイッチの設置状態を示す断面図。
【発明を実施するための形態】
【００１５】
以下、本発明を具体化した一実施形態を図１〜図６にしたがって説明する。また、本実施形態では、器具としてのスイッチＳを壁Ｗに設置するために器具枠取付体としての配線ボックス１１が用いられ、その配線ボックス１１内に気密カバー４１が配設されるものとする。
【００１６】
まず、建築物の壁Ｗについて説明する。
図６に示すように、壁Ｗは、柱Ｈと、その柱Ｈの前後両側に立設される一対の壁材Ｗ１とによって構成されている。また、一対の壁材Ｗ１の間には中空部Ｋが形成されており、中空部Ｋには発泡ポリスチレン板やグラスウール、硬質発泡ウレタン板等の断熱部材（図示せず）が設けられている。また、中空部Ｋには図示しないケーブルが配設されている。
【００１７】
次に、壁ＷにスイッチＳを設置するために用いられる配線ボックス１１について説明する。
図１に示すように、配線ボックス１１は、合成樹脂材料により表面（一面）に開口を有する有底四角箱状に形成されている。詳細には、配線ボックス１１は、長方形状をなす底壁１２と、底壁１２の上下に対向する一対の短側壁たる上側壁１３ａ及び下側壁１３ｂと、底壁１２の左右に対向する一対の長側壁たる右側壁１３ｃ及び左側壁１３ｄとから形成されている。そして、底壁１２及び四つの側壁１３ａ〜１３ｄによって収容部１４が囲み形成されている。
【００１８】
上側壁１３ａ及び下側壁１３ｂには、ケーブル挿通孔１５が二つずつ形成されている。一方のケーブル挿通孔１５はノック部１６によって閉鎖され、他方のケーブル挿通孔１５にはノック部１６が形成されずに開放されている。また、上側壁１３ａ及び下側壁１３ｂの内面には、スイッチＳを配線ボックス１１に取り付けるために用いられるボス部１７がそれぞれ対向する位置に形成されている。ボス部１７にはボス孔１７ａが形成されている。左側壁１３ｄの外面には、配線ボックス１１を柱Ｈに固定する際、柱Ｈの側面に当接させる当接座部１８が突設され、この当接座部１８にはビス孔１９が複数（実施形態では３つ）形成されている。
【００１９】
次に、スイッチＳを保持する器具枠２１について説明する。
器具枠２１は矩形枠状をなすとともに、スイッチＳを保持する保持孔２２を備える。また、器具枠２１の短手方向への長さの中間点を通過し、且つ長手方向に延びる中心線Ｌ１上には、一対のビス挿通孔２３が保持孔２２を挟むようにして設けられている。各ビス挿通孔２３は、器具枠２１の短手方向へ延びる長孔形状に形成されるとともに、このビス挿通孔２３には配線ボックス１１に器具枠２１を取り付けるための固定ビスとしての第１ビスＢ１が挿通されるようになっている。さらに、器具枠２１の中心線Ｌ１上において、各ビス挿通孔２３よりも外側それぞれには円孔状のビス孔２４が形成されている。このビス孔２４には、器具枠２１に化粧カバーＣを取り付ける際に、第２ビスＢ２が挿通されるようになっている。化粧カバーＣは、器具枠２１に取り付けられる化粧カバー取付板３１と、化粧カバー取付板３１に取り付けられる化粧カバー本体３８とから構成されている。
【００２０】
次に、気密カバー４１について説明する。
気密カバー４１は、透明であるとともに可撓性を有する合成樹脂、例えばポリプロピレンをプレス成形や真空成形により所定形状に成形してなる。気密カバー４１のカバー本体４２は、表面（一面）に開口を有する有底四角箱状に形成されるとともに、配線ボックス１１の収容部１４に収容可能な大きさに形成されている。詳細には、カバー本体４２は、長方形状をなす底壁４３と、底壁４３の上下に対向する一対の短側壁たる上側壁４４ａ及び下側壁４４ｂと、底壁４３の左右に対向する一対の長側壁たる右側壁４４ｃ及び左側壁４４ｄとから形成されている。そして、底壁４３及び四つの側壁４４ａ〜４４ｄによって収容部４５が囲み形成されている。また、底壁４３には、ケーブルをカバー本体４２内へ引き込むための引込み部４６がカバー本体４２の内部に向かって膨出するように複数（本実施形態では１５個）形成されている。
【００２１】
カバー本体４２の開口縁全周には、四角環状をなすフランジ部４７が一体形成されている。このフランジ部４７は、カバー本体４２の開口縁全周からカバー本体４２の外方に向けて延びるように形成されている。フランジ部４７は、可撓性を有するカバー本体４２に一体形成されているため、その基端を中心として底壁４３側又は底壁４３から離れる側に向けて傾動可能に形成されている。
【００２２】
図２に示すように、フランジ部４７において、カバー本体４２の短手方向への長さの中間点を通過し、且つ長手方向に延びる中心線Ｌ４上には、挿通部としての一対の挿通孔４８がカバー本体４２の開口を挟むようにして形成されている。各挿通孔４８は円孔状をなすとともに、この挿通孔４８には、器具枠２１を配線ボックス１１に取り付ける際に、器具枠２１のビス挿通孔２３に挿通された第１ビスＢ１が挿通されるようになっている。
【００２３】
そして、図５に示すように、第１ビスＢ１により器具枠２１が配線ボックス１１に取り付けられると、フランジ部４７の上下両部上には器具枠２１の上下両部が重合する。一方、第１ビスＢ１により器具枠２１が配線ボックス１１に取り付けられると、フランジ部４７の右部上における開口縁側には器具枠２１の右部が重合するとともに、フランジ部４７の左部上には器具枠２１の左部が重合していない。
【００２４】
図２に示すように、各挿通孔４８の内縁には、カバー本体４２の短手方向に沿って延びるスリット４８ａが形成されている。このスリット４８ａには、器具枠２１のビス挿通孔２３に挿通された第１ビスＢ１が挿通可能になっている。また、フランジ部４７において、カバー本体４２の中心線Ｌ４上には、位置調整部としての突出部４９が各挿通孔４８よりも外側に設けられている。
【００２５】
図３に示すように、各突出部４９はフランジ部４７の表面から表側に向けて有蓋円筒状に突出している。各突出部４９は、そのフランジ部４７の表面側の基端から先端に至るまで閉じるように形成されるとともに、フランジ部４７の裏面側が開放されている。各突出部４９の突出側端面は平坦面になっている。また、各突出部４９の直径は、各ビス孔２４の直径よりも小さくなっており、ビス孔２４に突出部４９を重合させたとき、突出部４９の突出側端面全体がビス孔２４から臨むようになっている。
【００２６】
また、図２に示すように、一対の挿通孔４８を結ぶ直線（中心線Ｌ４）の両側に位置するフランジ部４７の左右の裏面には、帯状をなす両面テープ５０（図２において斜線を付して示す）が、その長辺方向がカバー本体４２の長手方向へ延びるように貼着されている。両面テープ５０は、フランジ部４７において、器具枠２１が配線ボックス１１に取り付けられた状態であっても、器具枠２１の左右両部と重合することがなく、器具枠２１と干渉しない位置に貼着されている。両面テープ５０は、長辺方向の一端から他端までがフランジ部４７の長手方向に沿った範囲内に収まるように連続して設けられている。また、両面テープ５０は、短辺方向がフランジ部４７の左右両側部内に収まるようにフランジ部４７に貼着されている。
【００２７】
両面テープ５０は、フランジ部４７側の貼着面（裏面）がフランジ部４７の裏面に貼着されるとともに、壁材Ｗ１側の貼着面（表面）には剥離シート５１が貼着されている。剥離シート５１は、両面テープ５０の表面全体を覆うようにして両面テープ５０の表面に貼着されている。剥離シート５１の短辺方向に沿った長さは、両面テープ５０の短辺方向に沿った長さと同じになっている。また、剥離シート５１の長辺方向に沿った長さは、両面テープ５０の長辺方向に沿った長さよりも長くなっており、剥離シート５１の長辺方向の一端は両面テープ５０の長辺方向の一端よりも長辺方向側へ延在するとともに、剥離シート５１の長辺方向の他端は両面テープ５０の長辺方向の他端と同じ位置まで延びるように設けられている。そして、剥離シート５１の一端は、フランジ部４７の長手方向の一端よりも外方へ突出するまで延びるように設けられるとともに、剥離シート５１を両面テープ５０から剥がす際に、剥離シート５１を把持する把持部５２になっている。
【００２８】
次に、上記構成の気密カバー４１の設置方法について説明する。
まず、配線ボックス１１の当接座部１８を柱Ｈの側面に当接させて、配線ボックス１１を柱Ｈに対して所望の位置に配置する。このとき、ケーブルを、ケーブル挿通孔１５を介して配線ボックス１１内に予め引き込んでおく。次に、ビス孔１９に図示しない固定ビスを挿通するとともに、固定ビスを柱Ｈに強制的に螺入し、配線ボックス１１を柱Ｈに固定する。そして、柱Ｈを挟むように壁材Ｗ１を立設することで、壁Ｗ内の中空部Ｋに配線ボックス１１が設置される。
【００２９】
次に、壁材Ｗ１における配線ボックス１１の開口と対応する位置に縦長楕円形状の壁孔Ｗ２を穿設するとともに、配線ボックス１１の内部が壁孔Ｗ２を介して壁材Ｗ１の表側に臨むようにする。次に、配線ボックス１１内に引き込まれたケーブルを壁孔Ｗ２から壁材Ｗ１の表側に引き出す。次に、気密カバー４１の裏側から引込み部４６に対してケーブルを強制的に突き刺し、ケーブルをカバー本体４２内に引き込む。そして、ケーブルにスイッチＳを接続するとともに、スイッチＳを器具枠２１に保持させる。
【００３０】
次に、気密カバー４１の裏側からケーブルを引っ張り、カバー本体４２内に引き込まれたケーブルを壁孔Ｗ２側へ引っ張りながら、スイッチＳをカバー本体４２内に挿入し、器具枠２１の上下両部をフランジ部４７の上下両部の表面側に配置する。次に、気密カバー４１のカバー本体４２を底壁４３側から壁孔Ｗ２を介して配線ボックス１１の収容部１４に向かって挿入するとともに、カバー本体４２を配線ボックス１１内に収容し、フランジ部４７の裏面全体を壁材Ｗ１の壁孔Ｗ２周縁に配置する。このとき、挿通孔４８及び突出部４９は、壁孔Ｗ２の内側に位置するようになっている。
【００３１】
続いて、スイッチＳが壁Ｗ表で傾かないように、器具枠２１の位置を調整した後、第１ビスＢ１をビス挿通孔２３、挿通孔４８及び壁孔Ｗ２を介してボス孔１７ａに螺入し、器具枠２１が移動しないように器具枠２１を配線ボックス１１に仮固定する。ここで、第１ビスＢ１をボス孔１７ａに対して最後まで螺進せずに、フランジ部４７を壁材Ｗ１と器具枠２１との間で挟持することなく、気密カバー４１の動きが許容される状態にしておく。
【００３２】
次に、突出部４９の突出側端面全体が器具枠２１のビス孔２４から臨むように、気密カバー４１の位置を調整する。具体的には、フランジ部４７を把持して、気密カバー４１の突出部４９が器具枠２１のビス孔２４に重合するように、気密カバー４１を強制的に動かして位置調整する。ここで、各挿通孔４８の内縁にはスリット４８ａが形成されている。よって、第１ビスＢ１が挿通孔４８内に挿通された状態であっても、スリット４８ａ内に第１ビスＢ１が入り込めるため、気密カバー４１の移動が許される。
【００３３】
そして、器具枠２１のビス孔２４に対し突出部４９が重合して、突出部４９の突出側端面全体がビス孔２４から臨んだことを確認したら、第１ビスＢ１をボス孔１７ａに対して最後まで螺進させて、器具枠２１を配線ボックス１１に固定するとともに壁材Ｗ１と器具枠２１の上下両部との間にフランジ部４７の上下両部を挟持する。これにより、フランジ部４７が器具枠２１に対して所定位置に配置されるとともに、フランジ部４７の上下両部が壁材Ｗ１の表面に対して密着される。ここで、本実施形態での「所定位置」とは、気密カバー４１の中心線Ｌ４が器具枠２１の中心線Ｌ１上に位置し、器具枠２１の中心線Ｌ１からフランジ部４７における左右両縁までの距離が同じになる位置のことである。すなわち、フランジ部４７の左右両側縁が器具枠２１の両側縁と平行をなす位置のことである。
【００３４】
フランジ部４７が器具枠２１に対して所定位置に配置された状態において、図４（ａ）に示すように、把持部５２を把持して、剥離シート５１をフランジ部４７の長手方向に沿って引っ張る。すると、フランジ部４７が、その基端を中心として底壁４３から離れる側に向けて傾動し、図４（ｂ）に示すように、剥離シート５１を両面テープ５０から剥がすことができる。そして、剥離シート５１を両面テープ５０から剥がし終えたら、フランジ部４７の左右両部を壁材Ｗ１に向かって押し付けることで、両面テープ５０の表面を壁材Ｗ１の壁孔Ｗ２周縁に貼着する。この両面テープ５０による貼着により、図５に示すように、フランジ部４７の左右両部が壁材Ｗ１の表面に対して密着される。その結果、室内側と配線ボックス１１内とが気密カバー４１により遮断されて、配線ボックス１１内に侵入する塵埃類が壁孔Ｗ２を介して室内に入り込むことが防止される。
【００３５】
次に、図６に示すように、化粧カバー取付板３１を器具枠２１の表面側に配置して、第２ビスＢ２により化粧カバー取付板３１を器具枠２１に取り付けるとともに、化粧カバー本体３８を化粧カバー取付板３１の表面側に取り付ける。
【００３６】
上記実施形態では以下の効果を得ることができる。
（１）フランジ部４７において、第１ビスＢ１による器具枠２１の配線ボックス１１への取り付けにより、壁材Ｗ１に押し付けられない部位である左右両部には、両面テープ５０が貼着されている。また、両面テープ５０における壁材Ｗ１側の貼着面には剥離シート５１が貼着されている。フランジ部４７の上下両部は、第１ビスＢ１により器具枠２１が配線ボックス１１に固定されると、器具枠２１の上下両部により壁材Ｗ１に押し付けられるため、器具枠２１の上下両部と壁材Ｗ１との間は気密性が確保されている。しかし、フランジ部４７の左右両部は、第１ビスＢ１により器具枠２１の左右両部を介して壁材Ｗ１に押し付けられていない。しかし、本実施形態では、剥離シート５１が剥がされた状態の両面テープ５０の表面を壁材Ｗ１の壁孔Ｗ２周縁に貼着することで、フランジ部４７において、器具枠２１によって壁材Ｗ１に押し付けられない部位であっても、壁材Ｗ１に対して密着させることができ、室内側と配線ボックス１１内との間の気密性を確保することができる。
【００３７】
（２）両面テープ５０が貼着されたフランジ部４７の左右両部は、第１ビスＢ１により器具枠２１の左右両部を介して壁材Ｗ１に押し付けられていないため、フランジ部４７の左右両部を、その基端を中心として壁材Ｗ１から離れる側に向けて傾動させることができる。よって、フランジ部４７の傾動により剥離シート５１を剥がす作業を可能にすることができる。
【００３８】
（３）剥離シート５１には、剥離シート５１を把持可能な把持部５２がフランジ部４７から外方へ延在している。よって、器具枠２１が配線ボックス１１に取り付けられた状態であっても、把持部５２を把持して、剥離シート５１をフランジ部４７の長手方向に沿って引っ張るだけで、剥離シート５１を両面テープ５０から剥がすことができる。
【００３９】
（４）フランジ部４７は、可撓性を有する薄い合成樹脂より形成されているため、フランジ部４７の上下両部が第１ビスＢ１で固定されると、フランジ部４７の左右両部は、フランジ部４７の上下両部が壁材Ｗ１に押さえ付けられることに伴い、波打つように撓み変形し易い。しかし、両面テープ５０により、フランジ部４７の左右両部を壁材Ｗ１に貼着することで、波打つような変形を防止し、気密性を確保することができる。
【００４０】
なお、上記実施形態は以下のように変更してもよい。
○  実施形態では、第１ビスＢ１をボス孔１７ａに対して最後まで螺進させて、器具枠２１が配線ボックス１１に固定された後に、剥離シート５１を両面テープ５０から剥がしたが、これに限らない。例えば、第１ビスＢ１をボス孔１７ａに対して最後まで螺進せずに、器具枠２１を配線ボックス１１に仮固定し、気密カバー４１を所定位置に移動させた状態で、剥離シート５１を両面テープ５０から剥がして、両面テープ５０の表面を壁材Ｗ１の壁孔Ｗ２周縁に貼着し、その後、第１ビスＢ１をボス孔１７ａに対して最後まで螺進させてもよい。これによれば、第１ビスＢ１をボス孔１７ａに対して最後まで螺進させる前に、フランジ部４７が壁材Ｗ１の壁孔Ｗ２周縁に貼着されているため、第１ビスＢ１をボス孔１７ａに対して最後まで螺進させて、器具枠２１を配線ボックス１１に固定する際に、フランジ部４７がずれてしまうことを抑制することができる。この場合、フランジ部４７の上下両部は、器具枠２１の上下両部と壁材Ｗ１との間で挟持される前であるため、フランジ部４７の上下両部は、その基端を中心として底壁４３から離れる側に向けて傾動可能になっている。よって、フランジ部４７の左右両部に加えて、フランジ部４７の上下両部に両面テープ５０を予め貼着しておき、気密カバー４１の動きが許される状態のときに、剥離シート５１を剥がして、両面テープ５０の表面を壁材Ｗ１の壁孔Ｗ２周縁に貼着してもよい。また、この場合、フランジ部４７の上下両部及び左右両部に貼着される両面テープ５０は、フランジ部４７の全周に亘って連続して１枚で形成されるものであってもよい。
【００４１】
○  実施形態において、両面テープ５０は、長辺方向の一端から他端までがフランジ部４７の長手方向に沿った範囲内に収まるように連続して設けられていたが、これに限らず、フランジ部４７の長手方向に沿って両面テープ５０が断続的に複数貼着されていてもよい。
【００４２】
○  実施形態において、フランジ部４７の上下両部を、器具枠２１の上下両部よりも外方へ突出するように形成し、フランジ部４７の上下両部において、器具枠２１の上下両部よりも外方へ突出して器具枠２１と重合しない部位に両面テープ５０を貼着してもよい。
【００４３】
○  実施形態において、剥離シート５１の一端は、フランジ部４７の長手方向の一端よりも外方へ突出するまで延びるように設けられていたが、これに限らず、剥離シート５１の他端が、フランジ部４７の長手方向の他端よりも外方へ突出するまで延びるように設けられていてもよい。
【００４４】
○  実施形態において、剥離シート５１の一端は、フランジ部４７の長手方向の一端よりも外方へ突出するまで延びるように設けられていたが、これに限らず、例えば、剥離シート５１の一端に加えて、剥離シート５１の他端が、フランジ部４７の長手方向の他端よりも外方へ突出するまで延びるように設けられていてもよい。この場合、剥離シート５１の他端は、剥離シート５１の一端と同様に、剥離シート５１を両面テープ５０から剥がす際に、剥離シート５１を把持する把持部として機能する。
【００４５】
○  実施形態において、剥離シート５１の端部が、フランジ部４７の長手方向において、互いに反対側へ延在していてもよい。例えば、フランジ部４７の右部裏面に貼着された両面テープ５０を覆う剥離シート５１の一端が、フランジ部４７の長手方向の一端よりも外方へ突出するまで延びるように設けられている。一方、フランジ部４７の左部裏面に貼着された両面テープ５０を覆う剥離シート５１の他端が、フランジ部４７の長手方向の他端よりも外方へ突出するまで延びるように設けられている。
【００４６】
○  実施形態において、剥離シート５１の一端は、フランジ部４７の長手方向の一端よりも外方へ突出するまで延びるように設けられていたが、これに限らない。例えば、剥離シート５１の長辺方向の途中から、フランジ部４７の短手方向の縁部よりも外方へ突出するまで延びる把持部を設けてもよい。そして、この把持部を把持しながら剥離シート５１を引き抜く。すると、フランジ部４７が、その基端を中心として壁材Ｗ１から離れる側に向けて傾動することなく、剥離シート５１を両面テープ５０から剥がすことができる。
【００４７】
○  実施形態において、貼着部として、両面テープ５０を用いたが、これに限らず、貼着部として、フランジ部４７の裏面に接着材を塗布して、接着材を塗布した部分に保護シートを被せたものを用いてもよい。そして、フランジ部４７を壁材Ｗ１に貼着する際には、保護シートを剥がして使用する。
【００４８】
○  本発明を、スイッチＳが保持された状態の器具枠２１を壁Ｗに一つ設置する場合に用いられる気密カバー４１に適用したが、これに限らず、器具枠２１を壁Ｗに二つ以上並設する場合に用いられる気密カバーに適用してもよい。この場合、気密カバーのカバー本体４２は、気密カバーの左右方向に沿った方向が長手方向になるとともに、気密カバー４１の上下方向に沿った方向が短手方向になり、スイッチＳが左右方向に並んだ状態で、各スイッチＳがカバー本体４２内に挿入可能な大きさに形成されている。また、フランジ部４７には挿通孔４８が二対以上設けられている。そして、フランジ部４７において、両面テープ５０は、その長辺方向がカバー本体４２の短手方向へ延びるように貼着される。
【００４９】
○  実施形態において、壁材Ｗ１に穿設される壁孔Ｗ２の形状は縦長楕円形状であったが、これに限らず、例えば、縦長四角形状、小判形状、又は真円を一部分が重合するように二つ形成した略瓢箪状であってもよい。
【００５０】
○  実施形態において、器具枠取付体として、配線ボックス１１を適用したが、これに限らず、器具枠取付体として、例えば、矩形枠状をなす配線器具枠取付枠を適用してもよい。
【００５１】
○  実施形態において、器具枠２１に取り付けられる器具はスイッチＳであったが、これに限らず、器具枠２１に取り付けられる器具は、例えば、コンセントや報知器であってもよい。
【００５２】
次に、上記実施形態及び別例から把握できる技術的思想について以下に追記する。
（イ）前記フランジ部に、前記器具枠に対して前記フランジ部を位置合わせするための位置調整部が設けられていることを特徴とする請求項１又は請求項２に記載の気密カバー。
【００５３】
（ロ）前記器具枠取付体は配線ボックスであるとともに、前記配線ボックス内に前記カバー本体が収容されることを特徴とする請求項１又は請求項２、及び前記技術的思想（イ）のいずれか一項に記載の気密カバー。
【符号の説明】
【００５４】
Ｂ１…固定ビスとしての第１ビス、Ｗ…壁、Ｗ２…壁孔、Ｓ…器具としてのスイッチ、１１…器具枠取付体としての配線ボックス、２１…器具枠、４１…気密カバー、４２…カバー本体、４７…フランジ部、４８…挿通部としての挿通孔、４９…位置調整部としての突出部、５０…貼着部としての両面テープ、５１…剥離シート、５２…把持部。
【図１】
0005513300.tif 000002
【図２】
0005513300.tif 000003
【図３】
0005513300.tif 000004
【図４】
0005513300.tif 000005
【図５】
0005513300.tif 000006
【図６】
0005513300.tif 000007